(57)【要約】  【課題】  平面型表示パネルを用いた表示装置において、構成の簡略化、低コスト化などを可能にする。  【解決手段】  平面型表示パネルを備えた表示部が、フレーム部材として、該平面型表示パネルの外周を囲むフレーム状の第１の部分と、該第１の部分よりも内側にあって該平面型表示パネルを該表示パネルの背面側で支持する第２の部分とが１つの部材内に形成されて成る構成を備えたものとする。また、上記第１、第２の部分に加え、さらに、支持台に接続される第３の部分が１つの部材内に形成された構成とする。【選択図】  図２
2006106618.tif 000002
【特許請求の範囲】
【請求項１】
表示部が支持台に接続可能な表示装置であって、
上記表示部が、
映像表示を行う平面型表示パネルと
上記平面型表示パネルの外周を囲むフレーム状の第１の部分と、該第１の部分よりも内側にあって該平面型表示パネルを該表示パネルの背面側で支持する第２の部分とが１つの部材内に一体状に形成されたフレーム部材と、
を備えた構成であることを特徴とする表示装置。
【請求項２】
表示部が支持台に接続可能な表示装置であって、
上記表示部が、
映像表示を行う平面型表示パネルと、
上記平面型表示パネルの外周を囲むフレーム状の第１の部分と、該第１の部分よりも内側にあって該平面型表示パネルを該表示パネルの背面側で支持する第２の部分と、上記支持台に接続可能な第３の部分とが１つの部材内に一体状に形成されたフレーム部材と、
を備えた構成であることを特徴とする表示装置。
【請求項３】
表示部が支持台に接続可能な表示装置であって、
上記表示部が、
映像表示を行う平面型表示パネルと、
上記平面型表示パネルの前面側に配される光学フィルタ部材と、
上記平面型表示パネルを駆動する駆動回路が搭載された回路基板と、
上記回路基板を覆うバックカバーと、
上記平面型表示パネルの外周を囲むフレーム状の第１の部分と、該第１の部分よりも内側にあって該平面型表示パネルを該表示パネルの背面側で支持する第２の部分と、上記支持台に接続可能な第３の部分と、上記第２の部分とは反対の面側にあって上記回路基板を支持する第４の部分と、上記バックカバーが取付けられる第５の部分と、上記光学フィルタ部材を支持する第６の部分とが１つの部材内に一体状に形成されたフレーム部材と、
を備えた構成であることを特徴とする表示装置。
【請求項４】
表示部が支持台に接続可能な表示装置であって、
上記表示部が、
映像表示を行う平面型表示パネルと
上記表示装置の外装部を形成する第１の部分と、該第１の部分よりも内側にあって該平面型表示パネルを該表示パネルの背面側で支持する第２の部分とが１つの部材内に一体状に形成されたフレーム部材と、
を備えた構成であることを特徴とする表示装置。
【請求項５】
表示部が支持台に接続可能な表示装置であって、
上記表示部が、
映像表示を行う平面型表示パネルと、
上記表示装置の外装部を形成する第１の部分と、該第１の部分よりも内側にあって該平面型表示パネルを該表示パネルの背面側で支持する第２の部分と、上記支持台に接続可能な第３の部分とが１つの部材内に一体状に形成されたフレーム部材と、
を備えた構成であることを特徴とする表示装置。
【請求項６】
表示部が支持台に接続可能な表示装置であって、
上記表示部が、
映像表示を行う平面型表示パネルと、
上記平面型表示パネルの前面側に配される光学フィルタ部材と、
上記平面型表示パネルを駆動する駆動回路が搭載された回路基板と、
上記回路基板を覆うバックカバーと、
上記表示装置の外装部を形成する第１の部分と、該第１の部分よりも内側にあって該平面型表示パネルを該表示パネルの背面側で支持する第２の部分と、上記支持台に接続可能な第３の部分と、上記第２の部分とは反対の面側にあって上記回路基板を支持する第４の部分と、上記バックカバーが取付けられる第５の部分と、上記光学フィルタ部材を支持する第６の部分とが１つの部材内に一体状に形成されたフレーム部材と、
を備えた構成であることを特徴とする表示装置。
【請求項７】
上記フレーム部材は、高分子材料が成形されて成る構成である請求項１乃至６のいずれかに記載の表示装置。
【請求項８】
上記フレーム部材は、上記第３の部分に、上記支持台の接続部と嵌合される接続手段を有し、該接続手段により上記支持台と接続可能である請求項２、３、５または６に記載の表示装置。
【請求項９】
上記フレーム部材は、上記平面型表示パネルと上記回路基板との間を接続する接続用導体を通すための貫通孔が設けられた構成である請求項３または請求項６に記載の表示装置。
【発明の詳細な説明】
【技術分野】
【０００１】
本発明は、平面型表示パネルを使用してテレビジョン画像などを表示する表示装置の構成に関する。
【背景技術】
【０００２】
テレビジョン受像機などの表示装置においては、表示手段の進歩に伴い、液晶パネル（Liquid  Crystal  Display：以下、ＬＣＤと略す）やプラズマディスプレイパネル（Plasma  Display  Panel：以下、ＰＤＰと略す）などのフラットパネル（以下、平面型表示パネルという）を用いた薄型の表示装置の製品化が盛んである。また、平面型表示パネルを使用したディスプレイモニタは大型化し、例えば５０型（対角１２７０×１０−３ｍなど）の大型パネルが使用されるようになってきている。
【０００３】
セットの大型化に伴い、ガラスが主要部材である平面型表示パネルの強度が問題となる。すなわち、平面型表示パネルに対し、例えば正面からの衝撃力や、装置の落下などによる支持部からの衝撃力などが加わった場合には、該平面型表示パネルに割れなどが発生して破壊されることがある。そのため、種々の対策が検討されている。
【０００４】
ガラスが主要部材とされる平面型表示パネルでは、その背面側に該平面型表示パネルを補強状態で支持する金属製の部材を設け、ガラスの強度不足を補うようにしているものが多い。平面型表示パネルの補強に関する従来技術としては、例えば、特開２００２−９９２１８号公報（特許文献１）、特開２００２−１８９４２６号公報（特許文献２）、特開平１１−１１９６７８号公報（特許文献３）及び特開平０７−３２２１７１号公報（特許文献４）に記載されたものがある。
【０００５】
【特許文献１】特開２００２−９９２１８号公報
【特許文献２】特開２００２−１８９４２６号公報
【特許文献３】特開平１１−１１９６７８号公報
【特許文献４】特開平０７−３２２１７１号公報
【発明の開示】
【発明が解決しようとする課題】
【０００６】
上記特許文献１に記載の技術は、平面型表示パネルの背面補強用の金属板に折り曲げリブを追加して強度を増大させるとしたものである。この技術では、パネル手段の補強を簡単に行うことができるが、一方で、装置の筐体を含む全体の強度が不十分となることが予想される。上記特許文献２に記載の技術は、平面型表示パネルの背面補強用の金属板の他に、補強フレームを設け、装置全体の補強を行うようにしている。しかしながら、この技術では、背面補強用の金属板と補強フレームとが互いに別個の部品となっているため、部品点数、装置コスト、サイズなどの点で不十分とされるおそれがある。上記特許文献３に記載の技術は、背面の金属板と、装置筐体の一部を成す背面筐体とを組み合わせて強度を得るとするものである。この技術では、部品点数を減らし、かつ強度を得ることができるが、メンテナンスなどで再度組立を行う場合のネジの締め方により、十分で安定した強度を得にくいことなどが懸念される。さらに、上記特許文献４に記載の技術は、装置筐体に強度をもたせ、該筐体中に平面型表示パネルを設置して、装置としての強度を得ようとするものである。本技術では、装置としての十分な強度は得られるが、筐体自体が平面型表示パネルの補強も受け持つため、筐体寸法が増大し、装置の全体寸法の縮減は難しくなるおそれがある。
【０００７】
本発明の課題点は、上記従来技術の状況に鑑み、平面型表示パネルを表示部に用いた表示装置において、簡略かつ寸法増大を抑えた構成下で該平面型表示パネルを安定して補強・支持することができるようにすることである。
本発明の目的は、上記課題点を解決し、製造し易く、低コスト化が可能な表示装置を提供することにある。
【課題を解決するための手段】
【０００８】
上記課題点を解決するために、本発明では、平面型表示パネルを備えた表示部が支持台に接続可能な表示装置として、上記表示部が、該平面型表示パネルの外周を囲むフレーム状の（上記表示装置の外装部を形成する）第１の部分と、該第１の部分よりも内側にあって該平面型表示パネルを該表示パネルの背面側で支持する第２の部分とが１つの部材内に形成されて成るフレーム部材を備えた構成とする。また、上記表示部が、上記第１、第２の部分に加えてさらに、上記支持台に接続される第３の部分とが１つの部材内に形成されたフレーム部材を備えた構成とする。また、上記第１の部分が表示装置の外装部も形成する構成とする。
【発明の効果】
【０００９】
本発明によれば、平面型表示パネルを表示部に用いた表示装置において、寸法増大を抑えた簡略構成下で該平面型表示パネルに十分な強度を与えることができ、コンパクトで、製造し易く低コストな表示装置を提供することが可能となる。
【発明を実施するための最良の形態】
【００１０】
以下、図面を参照しながら、本発明の最良の形態について説明する。なお、全図において、共通な機能を有する構成要素には同一符号を付し、また、煩雑さを避けるために、その繰り返しの説明は省略する。
【実施例１】
【００１１】
図１〜図５は、本発明の第１の実施例についての説明図である。
図１は、本発明の第１の実施例としての表示装置の概観を示す斜視図である。図１において、表示装置１は、表示部１０１が支持台２に接続されて支持された構成である。表示装置１の表示部１０１は、ＰＤＰなどの平面型表示パネルを有して構成され、テレビジョンなどの映像を表示する。以下、表示部１０１を薄型ディスプレイ構成とした場合の例につき説明する。
【００１２】
表示装置１の表示部１０１における映像表示は、チューナ手段（図示なし）やビデオ再生手段（図示なし）などからの信号に基づいて行う。支持台２には回転手段２４０が設けられ、支持台２に対して表示部１０１を２次元的または３次元的に回転させ、設置位置に対して視聴位置を変更することができるようになっている。
【００１３】
図２は、図１に示した表示装置１の内部構成を示す分解図である。
表示装置１の表示部１０１は、映像表示を行うＰＤＰなどの平面型表示パネル４００を中心にして構成されている。表示部１０１内では、平面型表示パネル４００の前面側には、外光の反射を抑えることなどを目的に光学フィルタ部材３００が設けられる。該光学フィルタ部材３００は、透明部３０１と遮蔽部３０２とを備えて成り、該透明部３０１を通して平面型表示パネル４００を見ることができるようになっている。平面型表示パネル４００の裏面（背面）側には、両面接着剤等を介してフレーム部材５００が配されている。該フレーム部材５００の背面側にはさらに、平面型表示パネル４００を映像信号に基づき駆動する駆動回路が搭載された回路基板６００が配され、該フレーム部材５００に取付けられている。回路基板６００と該平面型表示パネル４００との間は、接続用導体としてのフレキシブルケーブル４１０によって接続されている。該フレキシブルケーブル４１０は、フレーム部材５００に設けた接続孔５１０を経由して、回路基板６００のコネクタ６１０と接続される。回路基板６００の後側（背面側）にはさらに、バックカバー７００が配され、該回路基板６００を覆う状態でフレーム部材５００に取付けられている。該バックカバー７００も、装置の外装部品の一部を構成する。上記フレーム部材５００は、支持台２と接続される。
【００１４】
上記フレーム部材５００としては例えば、高分子材料を用いて成形により製造したものを用いる。該フレーム部材５００は、上記平面型表示パネル４００の外周を囲むフレーム状の部分（第１の部分）と、該フレーム状の部分（第１の部分）よりも内側にあって該平面型表示パネル４００を該表示パネル４００の背面側で両面接着剤等を介し補強状態で支持する部分（第２の部分）と、上記支持台２に接続される部分（第３の部分）と、上記平面型表示パネル４００を補強状態で支持する部分（第２の部分）とは反対の面側にあって上記回路基板６００を支持する部分（第４の部分）と、バックカバー７００が取付けられる部分（第５の部分）と、上記光学フィルタ部材３００を支持する部分（第６の部分）とが１つの部材内に一体状（同一部材内に単に該部材の形状や構造を局部的に変えて複数のものが構成されている状態をいうものとする）に形成された構成を有する。また、本第１の実施例では、該フレーム部材５００は、上記フレーム状の部分（第１の部分）が、バックカバー７００、光学フィルタ部材３００とともに、表示装置１の外装部を構成している。
装置全体は、支持台２により支持される。支持台２と表示部１０１の接続は、支持台２に設けた接続突起２１０を用いて行う。接続突起２１０は、表示部１０１側のフレーム部材５００に設けた取付け部に接続される。該取付け部ではネジ等により固定される。
【００１５】
図３は、フレーム部材５００の詳細を示す斜視図である。
フレーム部材５００は、平面型表示パネル４００を支持する機能を有し、平面型表示パネル支持部５６０に両面接着剤など（図示なし）を介して該平面型表示パネル４００を支持する。該フレーム部材５００には、フレキシブルケーブル４１０を通す接続孔５１０、５２０、５３０などが設けられている。これら接続孔を通して、前面側の平面型表示パネル４００から出ているフレキシブルケーブル４１０を背面側の回路基板６００側に導き接続する。さらに、該フレーム部材５００には、支持台２を取付ける（＝支持台２と接続する）取付け部５４０があり、支持台２は本図の裏側に取り付ける。また、該取付け部５４０には、取付け用ネジ孔５４１が設けられ、支持台２をネジで固定するときに使用される。また、該フレーム部材５００には、外装部５５０が設けられ、表示装置の一部の外装を行うようになっている。
【００１６】
図４は、本発明の第１の実施例の表示装置におけるフレキシブルケーブル４１０周辺の接続状況を示す断面図である。
図４において、フレーム部材５００に設けられた接続孔５３０を介して、フレキシブルケーブル４１０が平面型表示パネル４００と回路基板６００の一部を成す駆動回路基板６０１とが接続されている。フレキシブルケーブル４１０の途中には、ドライブＩＣ４２０を設けてあり、該ドライブＩＣ４２０は、接続孔５３０の内壁に取付けられている。平面型表示パネル４００は、両面接着剤４３０を介してフレーム部材５００の平面型表示パネル支持部５６０に取付けられている。このように、平面型表示パネル４００の背面側は、フレーム部材５００により補強された状態で支持されており、正面からの押圧や振動などの外力による破壊を防いでいる。
フレーム部材５００の裏面側（背面側）には、回路基板６００が設けられ、該回路基板６００は、該フレーム部材５００に設けた支持部に取付けられ支持されている。
第１の実施例の表示装置１では、外装部品としての役割を有する部品は、フレーム部材５００、バックカバー７００、光学フィルタ部材３００である。このうち、バックカバー７００と光学フィルタ部材３００は、フレーム部材５００に取付けられ、表示装置１全体としては、フレーム部材５００を中心にして、周囲に部品が取り付けられた構造となっている。
【００１７】
図５は、第１の実施例の表示装置１における支持台取付け構造（接続構造）の説明図である。（ａ）は支持台取付け構造の分解図、（ｂ）はその取付け状態（接続状態）を示す図である。
表示装置１の表示部１０１と支持台２との接続は、図５（ｂ）に示すように、フレーム部材５００に設けられた取付け部５４０に、支持台２の接続突起２１０を取付けることにより行われる。このとき、フレーム部材５００に設けられた支持孔５４２に支持台２の接続突起２１０を通し（挿入し）、支持台２の接続突起２１０の、フレーム部材５００の取付け部５４０への固定は、取付けネジ孔５４１にネジを通すことで行う。上記表示装置１の表示部１０１と支持台２との接続により、最終的には、装置全体が支持台２により支持される。すなわち、表示装置１は、上記図４で説明したように、全体として、フレーム部材５００を中心にして周囲に、表示部１０１を形成する関連部品が取付けられた構造となっている。このため、フレーム部材５００と支持台２との接続により、表示装置全体は支持台２により支持された形態となる。
【００１８】
上記図１〜図５で説明したように、本発明の第１の実施例によれば、表示部１０１内のフレーム部材５００が、平面型表示パネル４００の外周を囲むフレーム状の部分（第１の部分）と、平面型表示パネル４００を補強状態で支持する部分（第２の部分）と、支持台２に接続される部分（第３の部分）と、回路基板６００を支持する部分（第４の部分）と、バックカバー７００が取付けられる部分（第５の部分）と、光学フィルタ部材３００を支持する部分（第６の部分）とが１つの部材内に一体状に形成された構成を有し、かつ、上記フレーム状の部分（第１の部分）が表示装置１の外装部も形成しているため、装置構造の簡略化、コンパクト化、及びそれらに伴う装置の軽量化、低コスト化などが可能となる。
【実施例２】
【００１９】
図６〜図１０は、本発明の第２の実施例としての表示装置の説明図である。
図６は、第２の実施例の表示装置１'の内部構成を示す分解図である。
表示装置１'は、表示を行うＰＤＰなどの平面型表示パネル４００を備えて構成される表示部１０１'と、これを支持する支持台１２とから成る。表示部１０１'における映像表示は、チューナ手段（図示なし）やビデオ再生手段（図示なし）などからの信号に基づいて行う。支持台２には回転手段２４０が設けられ、支持台２に対して表示部１０１'は２次元的または３次元的に回転可能で、設置位置に対して視聴位置を変更することができるようになっている。表示部１０１'の表面側には、外光の反射を抑えるなどを目的にして光学フィルタ部材３００が配されている。該光学フィルタ部材３００には、透明部３０１と遮蔽部３０２とがあり、透明部３０１を通して平面型表示パネル４００を見ることができるようにされている。平面型表示パネル４００の裏面側（背面側）には、両面接着剤などを介してフレーム部材８００が設けられている。上記光学フィルタ部材３００は前枠７２０を介して該フレーム部材８００に取付けられる。該フレーム部材８００は、その取付け部により支持台２と接続される。
【００２０】
フレーム部材８００の背面側には、回路基板６００が複数個設けられている。回路基板６００と平面型表示パネル４００との間は、フレキシブルケーブル４１０により接続される。フレキシブルケーブル４１０は、フレーム部材８００に設けた接続孔８１０を経由して、回路基板６００のコネクタ６１０と接続される。回路基板６００の後側にはさらに、バックカバー７３０が配され、表示装置の外装部品の一部を構成している。
【００２１】
上記フレーム部材８００としては例えば、高分子材料を用いて成形により製造したものを用いる。該フレーム部材８００は、上記平面型表示パネル４００の外周を囲むフレーム状の部分（第１の部分）と、該フレーム状の部分（第１の部分）よりも内側にあって該平面型表示パネル４００を該表示パネル４００の背面側で両面接着剤等を介し補強状態で支持する部分（第２の部分）と、上記支持台２に接続される部分（第３の部分）と、上記平面型表示パネル４００を補強状態で支持する部分（第２の部分）とは反対の面側にあって上記回路基板６００を支持する部分（第４の部分）と、バックカバー７３０が取付けられる部分（第５の部分）と、前枠７２０が取付けられる部分と１つの部材内に形成された構成を有する。バックカバー７３０は、回路基板６００及び上記フレーム状の部分（第１の部分）を覆うように設けられる。本第２の実施例の構成においては、バックカバー７３０、前枠７２０及び光学フィルタ部材３００が装置の外装部を構成している。
装置全体は、支持台２により支持される。支持台２と表示部１０１'の接続は、支持台２に設けた接続突起２１０を用いて行う。接続突起２１０は、表示部１０１'側のフレーム部材８００に設けた取付け部に接続される。該取付け部ではネジ等により固定される。
【００２２】
図７は、フレーム部材８００の斜視図である。
フレーム部材８００は、平面型表示パネル４００を支持する機能を持ち、平面型表示パネル支持部８６０に両面接着剤など（図示なし）を介して平面型表示パネル４００が補強状態で取付けられて支持される。該フレーム部材８００には、接続用導体としてのフレキシブルケーブル４１０を通す接続孔８１０、８２０、８３０などが設けられている。これら接続孔を通して前面側の平面型表示パネル４００から出ているフレキシブルケーブル４１０を、背面側の回路基板６００側へ導き接続する。さらに、フレーム部材８００には、支持台２を取付けるための取付け部８４０を有し、支持台２はこの図７の裏側に取付けられる。また、該取付け部８４０には、取付けネジ孔８４１が設けられ、支持台２をネジで固定するときに用いられる。
【００２３】
図８は、第２の実施例の表示装置１'におけるフレキシブルケーブル周辺の接続状況を示す断面図である。
フレーム部材８００に設けられた接続孔８３０を介して、フレキシブルケーブル４１０が平面型表示パネル４００と回路基板の一部をなす駆動回路基板６０１とが接続されている。フレキシブルケーブル４１０の途中には、ドライブＩＣ４２０が設けられている。該ドライブＩＣ４２０は、接続孔８３０の内壁に取付けられている。
平面型表示パネル４００は、両面接着剤４３０を介してフレーム部材８００の平面型表示パネル支持部８６０に取付けられている。このように、平面型表示パネル４００の背面側は、フレーム部材８００により補強されており、正面からの押圧や振動などの外力による破壊を防いでいる。フレーム部材８００の裏面側（背面側）に設けられた回路基板６００は、フレーム部材８００に設けられた支持部に取付けられ支持されている。
【００２４】
図９は、第２の実施例の表示装置１'における支持台取付け構造の説明図である。（ａ）は支持台取付け構造の分解図、（ｂ）はその取付け状態（接続状態）を示す図である。
表示装置１'におけるの表示部１０１'と支持台２との接続は、図９（ｂ）に示すように、フレーム部材８００に設けた取付け部８４０に、支持台２の接続突起２１０を取付けることにより行う。フレーム部材８００に設けられた支持孔８４２に、支持台２の接続突起２１０を通した（挿入した）後、該接続突起２１０の取付け部８４０への固定は、取付けネジ孔８４１にネジを通して行う。表示部１０１'と支持台２との接続により、最終的には、装置全体は支持台２により支持される。すなわち、表示装置１'は、表示部１０１'が、全体として、フレーム部材８００を中心にして周囲に部品が取付けられた構造となっているため、フレーム部材８００と支持台２との接続により、表示装置全体は支持台２により支持される形態となる。
【００２５】
上記図６〜図９で説明したように、本発明の第２の実施例によれば、表示部１０１'内のフレーム部材８００が、平面型表示パネル４００の外周を囲むフレーム状の部分（第１の部分）と、平面型表示パネル４００を補強状態で支持する部分（第２の部分）と、支持台２に接続される部分（第３の部分）と、回路基板６００を支持する部分（第４の部分）と、バックカバー７３０が取付けられる部分（第５の部分）と、前枠７２０を支持する部分とが１つの部材内に一体状に形成された構成を有しているため、装置構造の簡略化、コンパクト化、及びそれらに伴う装置の軽量化、低コスト化などが可能となる。
【００２６】
なお、上記平面型表示パネル４００としては、ＰＤＰの他、液晶パネルや電界放射型のパネルや発光ダイオードによるパネルなどを用いたものであってもよく、表示部としては、液晶パネルを用いた液晶ディスプレイ（Liquid  Crystal  Display：ＬＣＤ）や、電界放射型のパネルを用いた電界放射型ディスプレイ（Field  Emission  Display：ＦＥＤ）や、発光ダイオードによるパネルを用いた発光ダイオード型ディスプレイ（Electroluminescence）などであってもよい。
【００２７】
また、フレーム部材の材質は、高分子材料に限定されず、他の材料、例えば金属材などであってもよい。金属材とした場合は、これにプレス加工などを施すことで該フレーム部材が構成される。さらに、上記実施例では、支持台２を、表示部１０１、１０１'の下方に配する構成として説明したが、本発明はこれにも限定されず、支持台２は、表示部１０１、１０１'の側面側や上方側に配してもよい。
【図面の簡単な説明】
【００２８】
【図１】本発明の第１の実施例としての表示装置の概観を示す図である。
【図２】図１の表示装置の内部構成図である。
【図３】図２の構成におけるフレーム部材の詳細図である。
【図４】図２の構成におけるフレキシブルケーブル周辺の接続状況を示す図である。
【図５】図１の表示装置における支持台取付け構造の説明図である。
【図６】本発明の第２の実施例としての表示装置の内部構成図である。
【図７】図６の構成におけるフレーム部材の詳細図である。
【図８】図６の構成におけるフレキシブルケーブル周辺の接続状況を示す図である。
【図９】第２の実施例の表示装置における支持台取付け構造の説明図である。
【符号の説明】
【００２９】
１、１'…表示装置、
２…支持台、
１０１、１０１'…表示部、
２１０…接続突起、
３００…光学フィルタ部材、
４００…平面型表示パネル、
５００、８００…フレーム部材、
５４０、８４０…取付け部、
５４２、８４２…支持孔、
６００…回路基板、
７００、７３０…バックカバー、
４１０…フレキシブルケーブル、
５１０、５２０、５３０、８１０、８２０、８３０…接続孔、
６１０…接続コネクタ、
７２０…前枠。
【図１】
2006106618.tif 000003
【図２】
2006106618.tif 000004
【図３】
2006106618.tif 000005
【図４】
2006106618.tif 000006
【図５】
2006106618.tif 000007
【図６】
2006106618.tif 000008
【図７】
2006106618.tif 000009
【図８】
2006106618.tif 000010
【図９】
2006106618.tif 000011